(57)【特許請求の範囲】
【請求項１】
交互に等間隔で配置された複数の第１及び第２の電極と、該複数の第１及び第２の電極から離れて直交するように設けられた複数の第３の電極とを備え、前記第２の電極の一方の側に隣接する第１の電極と該第２の電極で第１の表示ラインを形成し、前記第２の電極の他方の側に隣接する第１の電極と該第２の電極で第２の表示ラインを形成し、第１及び第２の表示ラインでの表示用の放電を時間的に分離して実行するプラズマディスプレイパネルの駆動方法であって、
前記第１及び第２の表示ラインを初期化するリセット期間と、前記第１及び第２の表示ラインの各表示セルを表示データに応じた状態に設定するアドレス期間と、前記表示データに応じた状態に設定された前記表示セルが選択的に発光するように発光させる維持放電期間とを備えるプラズマディスプレイパネルの駆動方法において、
前記リセット期間は、
前記第１の電極又は前記第２の電極の一方を陽極とし、前記第１の電極と前記第２の電極間に、時間的に電圧が緩やかに変化する傾きを有し、前記第１及び第２の表示ラインの一方において、前のサブフィールドで点灯していた表示セル及び該表示セルに隣接する一方の異なる表示ラインの表示セル以外の表示セルでは、前記第１の電極と前記第２の電極間の電圧が放電開始電圧未満となるようなリセット放電電圧波形を印加する書込み期間と、
前記第１の電極または前記第２の電極の他方を陽極とし、前記第１の電極と前記第２の電極間に、時間的に電圧が緩やかに変化する傾きを有し、前記第１及び第２の表示ラインの一方において、前のサブフィールドで点灯していた前記表示セルに隣接する他方の異なる表示ラインの表示セル以外の表示セルでは、前記第１の電極と前記第２の電極間の電圧が放電開始電圧未満となるような電圧波形を印加する隣接書込み期間とを備えることを特徴とするプラズマディスプレイパネルの駆動方法。
【請求項２】
前記隣接書込み期間は、前記書込み期間の直前又は直後に行われる請求項１に記載のプラズマディスプレイパネルの駆動方法。
【請求項３】
１フィールドは複数のサブフィールドで構成され、前記１フィールドの少なくとも１つのサブフィールドのリセット期間は、前のサブフィールドの点灯状態にかかわらず、全てのセルにおいて放電開始電圧以上となる傾きの緩やかな電圧波形を印加してリセット放電を行う請求項１に記載のプラズマディスプレイパネルの駆動方法。
【請求項４】
前記書込み期間及び前記隣接書込み期間を行った後に、前記第１の電極と前記第２の電極間の電圧が放電開始電圧以上となる傾きの緩やかなアドレス準備電圧波形を印加する消去期間を更に備え、
該消去期間の後に、前記アドレス期間を実行する請求項１に記載のプラズマディスプレイパネルの駆動方法。
【請求項５】
交互に等間隔で配置された複数の第１及び第２の電極と、該複数の第１及び第２の電極から離れて直交するように設けられた複数の第３の電極とを備え、前記第２の電極の一方の側に隣接する第１の電極と該第２の電極で第１の表示ラインを形成し、前記第２の電極の他方の側に隣接する第１の電極と該第２の電極で第２の表示ラインを形成し、第１及び第２の表示ラインでの表示用の放電を時間的に分離して実行するプラズマディスプレイパネルであって、
前記第１及び第２の表示ラインを初期化するリセット動作を行い、前記第１及び第２の表示ラインの各表示セルを表示データに応じた状態に設定するアドレス動作を行い、前記表示データに応じた状態に設定された前記表示セルが選択的に発光するように発光させる維持放電動作を行う駆動回路を備え、
該駆動回路は、前記リセット期間で、
前記第１の電極又は前記第２の電極の一方を陽極とし、前記第１の電極と前記第２の電極間に、時間的に電圧が緩やかに変化する傾きを有し、前記第１及び第２の表示ラインの一方において、前のサブフィールドで点灯していた表示セル及び該表示セルに隣接する一方の異なる表示ラインの表示セル以外の表示セルでは、前記第１の電極と前記第２の電極間の電圧が放電開始電圧未満となるようなリセット放電電圧波形を印加し、
前記第１の電極または前記第２の電極の他方を陽極とし、前記第１の電極と前記第２の電極間に、時間的に電圧が緩やかに変化する傾きを有し、前記第１及び第２の表示ラインの一方において、前のサブフィールドで点灯していた前記表示セルに隣接する他方の異なる表示ラインの表示セル以外の表示セルでは、前記第１の電極と前記第２の電極間の電圧が放電開始電圧未満となるような電圧波形を印加することを特徴とするプラズマディスプレイパネル。
【発明の詳細な説明】
【０００１】
【発明の属する技術分野】
本発明は、プラズマディスプレイパネル及びその駆動方法に関し、特に隣接する維持電極間をすべて表示ラインとして利用するＡＬＩＳ（Ａｌｔｅｒｎａｔｅ  Ｌｉｇｈｔｉｎｇ  ｏｆ  Ｓｕｒｆａｃｅｓ）方式のプラズマディスプレイパネルにおいて動作の安定性を維持しながら表示コントラストを向上させる技術に関する。
【０００２】
【従来の技術】
プラズマディスプレイパネルは、電極が形成された２枚のガラス基板に挟まれた１００ミクロン程度の空間に放電用のＮｅ，Ｘｅ等の混合ガスを満たし、電極間に放電開始電圧以上の電圧を印加することで放電を発生させ、放電によって発生した紫外線により基板上に形成された蛍光体を励起発光させ表示を行う素子である。
【０００３】
図１にプラズマディスプレイパネルを使用した表示装置の概略的構成図を示す。表示パネル１０には、平行に配置された第１電極１および第２電極２が形成され、それらに直行するように第３電極３が形成されている。第１電極と第２電極は主に表示発光を行うための維持放電を実施する電極であり、ここでは第１電極をＸ電極、第２電極をＹ電極と呼ぶ。このＸ電極とＹ電極間に繰り返し電圧パルスを印加することで維持放電を行う。さらに、何れかの電極は表示データを書き込む際の走査用電極としても機能する（この例ではＹ電極が走査用電極である。）一方、第３電極は各表示ラインで発光させる表示セルを選択するための電極であり、第１または第２電極の一方と、第３電極間に放電セルを選択するための書込み放電行う電圧を印加する。ここでは、第３電極をアドレス電極と呼ぶ。これらの電極は目的に応じた電圧パルスを発生するための駆動回路に接続されている。図示のように、Ｘ電極はＸ電極駆動回路１２に接続され、共通の駆動信号が印加される。Ｘ電極駆動回路１２は、Ｘ維持パルス回路１３とＸリセット電圧発生回路１４とを有する。Ｙ電極は、Ｙ電極駆動回路１５に接続される。Ｙ電極駆動回路１５は、走査ドライバ１６と、Ｙ維持パルス回路１７と、Ｙリセット／アドレス電圧発生回路１８とを有する。アドレス電極はアドレスドライバ１１に接続される。プラズマディスプレイパネルを使用した表示装置については、後述する特許第２８０１８９３号などに詳しく記載されているので、ここではこれ以上の説明は省略する。
【０００４】
図２は図１に示した装置の表示パネル部を詳しく説明するための図である。複数のＸ電極１とＹ電極２が平行に配置されている。ここでは表示ラインＬ１からＬ４までの電極を示している。さらに、アドレス電極３と放電セルを仕切るための隔壁５が形成されている。従って、Ｘ電極とＹ電極が伸びる方向では、各表示セルは隔壁５で区切られている。
【０００５】
図３は図１に示した装置の駆動シーケンスを説明するためのフレームの構成を示した図である。プラズマディスプレイパネルの放電はオンまたはオフの２値の状態しかとれないために、発光の回数で明るさの濃淡つまり階調を表現している。それを効率良く実行するために、フレームを複数の例えば１０個のサブフィールドに分割する。各サブフィールドはリセット期間、アドレス期間、維持放電期間（サスティン期間とも呼ぶ）より構成される。リセット期間は前のサブフィールドでの点灯状態に関わらず全てのセルを均一な状態、例えば壁電荷を消去した状態にするための操作が実行される。アドレス期間は表示データに応じてセルのオンやオフの状態を決めるために、選択的な放電（アドレス放電）が行われ、セルをオン状態とする壁電荷が形成される。維持放電期間はアドレス放電が実行されたセルで放電を繰り返し所定の光を出す。維持放電期間の長さつまり発光回数はそれぞれのサブフィールドで異なってくる。例えば、サブフィールド１〜１０の発光回数の比率を１：２：４：８…とし、表示するセルの輝度に応じてサブフィールドを選択して放電させる事で、任意の階調表示が行える。
【０００６】
図４は表示コントラストを説明するために、リセット放電の発光状態を示す図である。表示コントラストを高くするには、黒表示の表示セルの放電強度をできるだけ小さくすることが望ましい。そのため、表示に関係しない放電はを行わないことが望ましい。しかし、セル空間に多少のイオンや準安定原子等が無いと、電極間に所定の電圧を印加してもアドレス放電が発生しないことがある。よって定期的に全てのセルでリセット放電を行っている。全セルリセット放電の方法としては大きく２つあり、一方は図４の（Ａ）に示すように１フレーム（又は１フィールド）の先頭の第１サブフィールドの開始時にある程度の強さをもった放電を実施する方法であり２番目以降のサブフィールドでは全セルリセット放電を行わない。特許第２７５６０５３号に開示されている。他方は、図４の（Ｂ）に示すように全てサブフィールドのリセット期間で小規模な放電を行う方法である。このような手法を使用することで、暗室状態で約３００〜６００：１程度の表示コントラストが得られる。具体的には、１ｃｄ／ｍ２  以下の明るさとなる。さらにまた、両者の組合せ、つまり非弱発光のリセットをフレームまたはフィールドに１回実施する方法もある。
【０００７】
図５は図１の装置の駆動波形を説明する図であり特許第２７７２７５３号に開示されている例を示している。リセット期間では、Ｘ電極に放電開始電圧以上の高い電圧、例えば３００Ｖのパルスを印加する。パルスの印加によって、前のサブフィールドの点灯状態に関わらず全てのセルで放電が発生し、壁電荷が形成される。次にこのパルスを取り去ると、壁電荷自身の電圧によって再度放電を開始するが、電極間には電位差が無い為、放電によって発生した空間電荷は中和して壁電荷の無い均一な状態が実現できる。なお、殆どの電荷は中和するが、多少のイオンや準安定原子は放電空間内に留まり、アドレス放電を確実に発生させるための種火として作用する。これは一般的に種火効果またはプライミング効果と呼ばれている。アドレス期間においては、走査用電極であるＹ電極に走査パルスを印加し、点灯させるセルのアドレス電極にはアドレスパルスを印加し放電を行う。この放電はＸ電極側にも広がり、Ｘ電極とＹ電極間には壁電荷が形成される。この走査を全ての表示ラインに渡って実行する。次に、維持放電期間となり、Ｖｓ電圧（約１７０Ｖ）からなる維持パルス（サスティンパルス）を繰り返し印加する。アドレス放電により壁電荷を形成したセルは維持パルス電圧に壁電荷の電圧が上乗せされるため、放電開始電圧以上の電圧となり放電を開始する。アドレス放電を行わなかったセルは壁電荷が無い為、放電は開始しない。
【０００８】
図６は、全セルのリセット放電を実施しない手法のサブフィールドの駆動波形である。図４の（Ａ）のＳＦ２〜ＳＦ１０に対応する。リセット期間ではＶｓ電圧からなる傾きの緩やかな消去パルスを印加して、前のサブフィールドで点灯していたセルのみ放電を行い、壁電荷を消去させる。アドレス期間および維持放電期間の動作は図５と同様である。従って、この手法でリセット期間に発生する放電は、前のサブフィールドの表示データに関係した放電であり、コントラストは低下しない。
【０００９】
図７は特許公報第２８０１８９３号に開示されている別な方式のプラズマディスプレイパネルの概略構成図である。この方式は、表示電極であるＸ電極とＹ電極を交互に等間隔で配置し、全ての電極の隙間を表示ライン（Ｌ１，Ｌ２…）として活用するＡＬＩＳ方式（Ａｌｔｅｒｎａｔｅ  Ｌｉｇｈｔｉｎｇ  ｏｆ  Ｓｕｒｆａｃｅｓ）と呼ばれるものである。この方式では、全ての電極の隙間を表示ラインとして活用するため、電極数は図２に示す構造の約半分で済み、低コスト化、高精細化に有利な方式である。
【００１０】
図８はその発光原理を示している。全ての電極の隙間が表示ラインとなるため、全ての表示ラインを同時に点灯させる事は出来ない。よって、奇数ラインと偶数ラインの点灯を時間的に分離して発光表示を行うインターレース表示を行う。図９はＡＬＩＳ方式のフレームの構成であるが、１フレームは２つのフィールドに分割され、さらに各フィールドは複数のサブフィールドから構成される。第１フィールドでは奇数ラインの表示を行い、第２フィールドでは偶数ラインの表示を実施する。
【００１１】
図１０は、特開２０００−７５８３５公報に開示されたＡＬＩＳ方式のプラズマディスプレイパネルの駆動波形を示す図である。リセット期間は、傾きの緩やかな最初のパルスで微弱な書込放電を行う書込み期間と、後半のパルスで消去放電を行う消去期間で構成される。これらの放電はいずれも微弱であるため、発光量が低く抑えられる。よって、全てのサブフィールドで全セルを対象に、このリセット放電を実行しても黒レベルの輝度が上がる事は無い。図４の（Ｂ）に相当する形態である。
【００１２】
【発明が解決しようとする課題】
前述のように、駆動波形やシーケンスの工夫によってプラズマディスプレイパネルの黒表示の輝度はある程度まで抑えられ暗室でのコントラスト比は３００：１〜６００：１のレベルまで達成されている。また、小領域での白輝度６００ｃｄ／ｍ２  程度まで達成されているが、実際に使用する表示装置の形態ではパネルの前面に、光の透過率が５０〜６０％程度の光学フィルターを配置し、パネル表面での外光反射による明室のコントラスト低下を防いでいる。パネル単体で６００ｃｄ／ｍ２  であってもフィルター透過後の輝度は３００ｃｄ／ｍ２  程度となってしまう。市販のＣＲＴによるテレビの場合、５００ｃｄ／ｍ２  程度ピーク輝度があり、プラズマディスプレイとしても、ますます高輝度化が必要になってくる。これらの要求から、より高輝度の出せる蛍光体材料等が開発、適用されているが、同時に黒レベルの輝度も上昇することになる。フィルターを装着した状態で暗室コントラストが５００：１であり、ピーク輝度が５００ｃｄ／ｍ２  の場合、黒レベルの輝度は１ｃｄ／ｍ２  になる。暗室に近い状態で映画等を見る場合、１ｃｄ／ｍ２  程度でも明るく見え、表示の品位の低下は無視できないレベルである。
【００１３】
さらに、図４の（Ｂ）に示した微弱発光となるリセット方式が適用した上で（Ａ）に示すように、フレームまたはフィールドに１回のみそのリセット方式を実行することで、図２に示したようなセル構造を持つパネルで３０００：１程度の暗室コントラストを実現した例もある。しかしながら、それは図２に示したような隣接セルの距離が離れているようなセル構造を持つパネルでの話であり、その方法を単純にＡＬＩＳ方式のパネルで実現することはできない。その理由を図１１および図１２を参照して説明する。
【００１４】
図１１は、図１０の駆動波形でＡＬＩＳ方式のプラズマディスプレイパネルを動作させた場合の放電状態を示しており、図４の（Ａ）のような十分に大きな電圧をＸ電極とＹ電極間に印加する場合の例である。図１１の（Ａ）は直前のサブフィールドにおいて、Ｘ２とＹ２によるセルが維持放電を行っている場合を示している。この場合、維持放電によって発生した電子は隣接する電極であるＸ３およびＹ１まで拡散し壁電荷として蓄積される。ここで、図２に示した従来型のプラズマディスプレイパネルの場合、Ｙ１電極とＸ２電極間及びＹ２電極とＸ３電極間は離れているので、このような隣接する電極への電子の蓄積は生じない。次にリセット期間に入ると、Ｘ電極にマイナス１００Ｖの傾きが緩やかな消去パルスが印加され、ｔ１のタイミングで、図１１の（Ｂ）に示すように、Ｘ２とＹ２間の消去放電が発生して壁電荷量が減少する。次にＹ電極に電圧Ｖｓ（１７０Ｖ）からなる書き込みパルスが印加され、図１１の（Ｃ）に示すように、再度放電が発生する。この時点のＸ電極とＹ電極間の電圧は２７０Ｖとなっており放電開始電圧（約２２０Ｖ）を超えるので壁電荷が形成される。壁電荷の形成は全てのセルで行われ、続いてＸ電極の電圧を７０Ｖ（Ｖｘ）に固定した状態でＹ電極にマイナス１５０Ｖまで到達する傾きの緩やかな消去パルスが印加される。このパルスで再度放電が発生するが、消去パルスの最終電圧が放電開始電圧と同じであるため終了時点で殆どの壁電荷が中和され、、図１１の（Ｄ）に示すようにほぼ壁電荷の無い状態が全セルに渡って実現できる。
【００１５】
次に、図４の（Ａ）の２番目以降のサブフィールドで行うリセット期間を考える。図１２は、この場合の放電動作の例を説明する図であり、図１１の（Ｃ）の時点で、Ｘ極に印加する電圧をマイナス１００Ｖから０Ｖにして前のサブフィールドで点灯していたセルのみ放電を行い消去を実行するようにする。この場合、Ｘ２とＹ２の壁電荷は電極間の電圧を拡大する極性であるので、Ｘ２とＹ２の間でセル放電が発生して壁電荷の消去が行われる。また、Ｘ３に蓄積されたマイナス電荷も電極間の電圧を拡大するので、Ｘ３とＹ３電極間の消去放電が発生し電荷が中和される。しかし、Ｙ１電極に残留しているマイナス電荷は印加電圧を打ち消す極性であるため放電が発生せずそのまま残留する。そのため、リセット期間が終了してもＹ電極にマイナス電荷が残留する。このような残留壁電荷があると、アドレス期間においてスキャンパルスが印加されアドレスパルスが印加されなくとも放電を開始してしまうことがあり安定な動作が行えない。
【００１６】
更に、図４の（Ｂ）のようなリセット動作を行う場合、図１０のｔ２においてＸ電極に印加するマイナスの電圧を小さくすることで、リセット放電による発光強度を押さえることができる。図１３は、リセット放電の電圧とリセット放電による輝度の関係を示す図である。例えば、図１３に示すように、図１０のｔ２のタイミングで印加するＸ電極とＹ電極間の電圧を小さくすることで輝度を下げることが可能となる。しかしながら、その電圧が２６０Ｖを下回るとリセット動作が不充分になり安定な表示ができない事が判った。例えば、Ｙ電極に印加する電圧がＶｓ：１７０Ｖである場合、Ｘ電極に印加するマイナス電圧を９０Ｖ以下にした場合である。この場合もＹ電極に残留したマイナス電荷が印加電圧を打ち消すため十分なリセット放電が実施できないのである。
【００１７】
これらの現象を考慮して、従来はＸ電極に印加するマイナス電圧をマイナス１００Ｖ程度に設定しており、そのときの輝度は１．２ｃｄ／ｍ２  となり、コントラストは５００：１であった。
更に、ＡＬＩＳ方式のＰＤＰにおいて細幅のリセットパルスを利用して、点灯セルおよび点灯セルに隣接するセルを巻き込んでリセット放電を実行する方法が特開平１１−３３８４１４号公開公報に開示されている。しかし、この方式は、点灯セルとそれに隣接するセルでのみでのリセット放電が実行されるため、黒表示の場合は発光が無く暗室コントラストが良い。しかしながら、点灯セルに隣接するセルでリセット放電が実行できるか否かはパルス幅や電圧に依存しているため、放電開始電圧などの特性のばらつきを含んだ全てのセルで安定に放電させることは極めて困難であった。
【００１８】
以上説明したように、ＡＬＩＳ方式のＰＤＰにおいては、安定動作が行われる条件では十分なコントラストが得られないという問題があった。
ＣＲＴの場合は、限りなく０ｃｄ／ｍ２  に近い状態が実現できており、プラズマディスプレイパネルの場合もこれを実現することが待ち望まれており、この要求はＡＬＩＳ方式のＰＤＰでも同様である。
【００１９】
本発明は、黒表示の発光輝度を低下させ、動作が安定で且つ高コントラストのＡＬＩＳ方式のプラズマディスプレイパネルの駆動方法の実現を目的とする。
【００２０】
【課題を解決するための手段】
本発明のＡＬＩＳ方式のプラズマディスプレイパネルの駆動方法は、上記目的を実現するため、前のサブフィールドで点灯していたセルのみ放電を行うように時間的に緩やかに変化する電圧を第１と第２の電極間に印加した場合にも、前のサブフィールドで点灯していたセルに隣接する異なる表示ラインの一方に残る壁電荷を消去する隣接書込み期間を、書込み期間の前又は後に設けることを特徴とする。
【００２１】
本発明によれば、従来の駆動方法を行った場合に、前のサブフィールドで点灯していたセルに隣接する異なる表示ラインの一方の電極上に残留する壁電荷が消去される。表示ラインの他方の電極上に残留する壁電荷は、従来同様に前のサブフィールドで点灯していたセルの壁電荷を消去する時に一緒に消去される。従って、本発明によりほぼ壁電荷の無い状態が全セルに渡って実現できる。しかも、消去のために発生する放電は微弱で、コントラストの低下は小さい。
【００２２】
隣接書込み期間は、前のサブフィールドで点灯していたセルに隣接するために漏れた電荷が蓄積された壁電荷のうち、印加電圧の極性が逆方向で書込み期間にはリセット放電が発生しないために小さな印加電圧では消去できなかった壁電荷を消去するために行われる、隣接書込み期間により生じる壁電荷は書込み期間には影響しないので、書込み期間の前に行っても、後に行ってもよい。
【００２３】
図４の（Ａ）のように、１フレーム（又は１フィールド）が複数のサブフィールドで構成され、１フレームの先頭のサブフィールドでのみ、大きな電圧を印加して強い発光を伴う全セルリセット放電を実施し、荷電粒子や準安定原子を創生（所謂プライミング効果、種火効果）することで、放電が発生しやすい状態に保つ場合には、他のサブフィールドのリセット期間に本発明を適用する。特に、ＡＬＩＳ方式の場合には、図９に示すようなインターレース駆動が行われるが、その場合には、第１フレームの先頭のサブフィールド、すなわち、第１フィールドの先頭のサブフィールドで全セルリセット放電を実施し、他のサブフィールドのリセット期間に本発明を適用しても、第１と第２フィールドの先頭のサブフィールドで全セルリセット放電を実施し、他のサブフィールドのリセット期間に本発明を適用してもよい。第１と第２フィールドの先頭のサブフィールドで全セルリセット放電を実施する場合には、前のフィールドでは使用していない部分を活性化させるため以降の動作が安定に実施できる。また、第１フィールドの先頭のサブフィールドでのみ全セルリセット放電を実施する場合には、黒表示時の輝度は半分程度となる。
【００２４】
また、書込み期間と隣接書込み期間の両方を行った後、第１と第２の電極間の電圧が放電開始電圧以上となる傾きの緩やかなアドレス準備電圧波形を印加する消去期間を更に備えるようにすることが望ましい。
更に、一般に３電極の面放電ＰＤＰではアドレス電極とＹ電極間の放電開始電圧はＸ電極とＹ電極間の放電開始電圧に比べて低いが、リセット期間において第３の電極に印加する電圧を第１の電極と第２の電極に印加される電圧の最大値以下で最小値以上となるような電圧としているため、第３の電極との間で放電開始電圧を超えて放電することは無い。
【００２５】
【発明の実施の形態】
本発明の実施例を説明する前に、本発明の基本的な動作について図１４を参照して説明する。
図１４は、本発明の駆動方法を行った場合の放電動作を説明する図であり、隣接書込み期間を、書込み期間の前に行い、書込み期間の後に消去期間を行う場合の例を示す。
【００２６】
図１４の（Ａ）に示すように、前のサブフィールドでの維持放電期間に、Ｘ２とＹ２間のセルで維持放電を繰り返す場合、Ｙ１電極およびＸ３電極側には、電子が飛来して蓄積する。リセット期間の初期に、Ｘ２とＹ２間の壁電荷は消去放電により減少する。
次には、図１４の（Ｂ）に示すように、Ｘ電極に１７０Ｖ、Ｙ電極にマイナス５０Ｖの電圧を印加することで、印加電圧にＹ１上のマイナス電荷が重畳され放電開始電圧を越えて放電を行う。この印加電圧は十分緩やかな傾きを持って印加されるため、大規模な放電を開始することは無く、放電によって徐々に壁電荷が消去されパルスの終了時点ではＹ１電極上にはほぼ壁電荷の無い状態が実現できる。このとき、Ｘ２−Ｙ２セル、Ｘ３−Ｙ３セルは壁電荷が電極間の電圧を低下させるので放電開始電圧を超えることが無く、放電は開始しない。同様に、前のサブフィールドで消灯していたセルやそれに隣接していたセルには壁電荷が蓄積されないので、放電は開始しない。
【００２７】
次に、図１４の（Ｃ）に示すように、Ｙ電極に１７０Ｖ、Ｘ電極にマイナス５０Ｖの電圧を印加すると、Ｘ２−Ｙ２セルとＸ３−Ｙ３セルは壁電荷が印加電圧に重畳され放電開始電圧を越えて放電を行う。この印加電圧は十分緩やかな傾きを持って印加されるため、大規模な放電を開始することは無く、放電によって徐々に壁電荷が消去されパルスの終了時点では全セルでほぼ壁電荷の無い状態が実現できる。このとき、前のサブフィールドで消灯していたセルやそれに隣接していたセルには壁電荷が蓄積されないので、放電は開始しない。このようにして、図１４の（Ｄ）に示すような全てのセルで壁電荷の無い均一な状態が実現できる。
【００２８】
これらの動作を図１５を参照して更に説明する。縦軸はセル電圧であり、＋２２０Ｖおよび−２２０Ｖに放電開始電圧がある。プラスとマイナスがあるのは、Ｘ電極が陽極となった場合をプラスで示し、Ｘ電極が陰極となった場合をマイナスで示している。実線“Ａ”はＸ電極とＹ電極間の印加電圧を示しており、リセット期間に利用する傾きの緩やかな電圧波形を示している。破線は壁電荷による壁電圧を印加電圧に加算した場合のセル電圧である。実線と破線の差分が壁電荷による電圧である。破線Ｂの初期は図１４の（Ａ）の状態でのＸ１−Ｙ１のセル電圧を示しており、Ｙ電極側に電子があるためＹ電極を０Ｖとして見た場合Ｘ側に＋例えば４０ｖの壁電荷があることになる。電圧がゆるやかに印加され、セル電圧が放電開始電圧を超えた時点で放電を開始する。放電によって電荷が生成され、それが電極側に引き寄せられると壁電荷の一部を中和し、セル電圧を減少させる。さらに電圧が少し上がると、再度放電を開始し、放電によって電荷が生成され、それが電極側に引き寄せられると壁電荷の一部を中和し、セル電圧を減少させる。以上の動作を繰り返しながら壁電荷を減少させていく。印加電圧が放電開始電圧と等しくなった時点で壁電荷量はほぼゼロとなり、電圧の上昇を中止すると壁電荷が殆ど無い状態が実現できる。
【００２９】
次に後半の説明をする。破線Ｃで示すセルは図１４の（Ａ）の初期状態のセルでＸ３−Ｙ３のセル電圧を示しており、Ｘ電極側にマイナス４０Ｖ相当の電子がある。また、Ｘ２−Ｙ２のセルで、ある程度の壁電荷量がある場合を破線Ｄで示している。前半の印加電圧はＸ電極を正極性として電圧を印加するが、壁電圧が逆極性であり印加電圧を下げる働きをするため、放電開始電圧を超える事は無い。後半の印加電圧は、Ｘ電極を陰極、Ｙ電極を陽極として傾きの緩やかな電圧波形を印加する。この場合、Ｘ電極にマイナスの壁電荷が形成されていて、前半では放電を起こさなかったセルにおいては、印加電圧に対して壁電圧が重畳されるため、印加電圧と壁電圧の和が放電開始電圧を超えた時点で放電を開始し、生成された電荷が壁電荷を中和し、さらに電圧が高まると放電を開始する状態を繰り返す。最終的に印加電圧が放電開始電圧になった時点で壁電荷量はほぼゼロとなり、その状態で印加電圧を中断すると、壁電荷がない状態が実現できる。破線Ｃと破線Ｄである。
【００３０】
図１６は本発明の第１実施例のＡＬＩＳ方式のＰＤＰの駆動波形図である。図１０の駆動波形と比較して明らかなように、リセット期間において、書込み期間の前に隣接書込み期間が設けられている点が異なる。リセット期間の初期（隣接書込み期間）に、Ｙ電極に傾きの緩やかなマイナス５０Ｖの電圧を印加する（ｔ１）。この波形により前のサブフィールドで点灯していたセルの壁電荷の一部が消去される。次に、Ｘ電極に１７０Ｖの傾きの緩やかな電圧波形を印加する（ｔ２）。この時点で点灯セルに隣接するセルのうちＹ電極に電子が蓄積されていたセル、すなわち図１４のＸ１−Ｙ１セルにおいて放電を開始する。この放電は、最終電圧が２２０Ｖ（１７０Ｖ＋５０Ｖ）となり放電開始電圧と等しいため、電極Ｙ１上の壁電荷がほとんど無い状態が実現できる。次に書込み期間のｔ３からｔ４にいたる過程で、前のサブフィールドで点灯していたＸ２−Ｙ２セル及びそれに隣接するセルでＸ電極に電子が蓄積されていたセル、すなわち図１４のＸ３−Ｙ３セルにおいて放電を開始し最終的に印加電圧と放電開始電圧が等しくなった時点で印加電圧を中断することで、壁電荷がほとんど無い状態が実現できる。
【００３１】
次に、消去期間のｔ５では、そこまでの動作で残ってしまった壁電荷を消去する。これにより、アドレス放電時にアドレスパルスが印加されない状態でアドレス放電を開始してしまうことを防いでいる。つまり、アドレス電極に過剰なプラス電荷が蓄積されている場合、Ｙ電極にスキャンパルプが印加された時点でアドレスパルプが印加されなくとも放電を開始してしまう場合があるが、消去期間の放電によりアドレス電極の壁電荷が除かれる。また、維持放電期間はアドレス電極が０Ｖとなっているためプラス電荷が蓄積される。また、ｔ２，ｔ４の時点でもアドレス電極は０Ｖとなっているためプラス電荷が蓄積しやすい。言い換えればｔ１からｔ４までの放電は主にＸ電極とＹ電極間の消去が目的であるのに対して、ｔ５での放電はアドレス電極とＹ電極間の壁電荷の消去が目的となる。
【００３２】
更に、パネルの放電開始電圧を測定した上でリセット時の印加電圧を放電開始電圧と等しい値に設定する。パネル毎のばらつきが大きい場合は、パネルごとにその電圧を測定して個々に電圧を設定しても良い。しかしながら生産の効率化のために、一定の値に設定することも考えられる。この場合、放電開始電圧を超えた電圧設定となる場合は、黒表示の場合でも全てのセルでリセット放電が起きてしまうことがあるため好ましくない。このようなことを想定して、パネルの特性がばらついた場合でも放電開始電圧を超えないように低めの電圧に設定する場合もある。１枚のパネルの中でも放電開始電圧のばらつきがあるため、それらも考慮して低めの電圧に設定する。よって、放電開始電圧が高いパネルやセルにおいては、ｔ１からｔ４の工程で壁電荷の残留が予測されるため、そのような場合でもアドレス期間での誤作動を防ぐ為にｔ５工程での消去が重要になる。
【００３３】
なお、一般に３電極の面放電ＰＤＰはＸ電極とＹ電極間の放電開始電圧が２２０Ｖ程度である場合、アドレス電極とＹ電極間の放電開始電圧は１８０Ｖから２００Ｖと低い。しかし、本実施例では、リセット期間中にアドレス電極には０Ｖを印加しており、この電圧はＸ電極とＹ電極に印加される電圧の最大値以下で最小値以上となるような電圧であるため、アドレス電極との間で放電開始電圧を超えて放電することは無い。
【００３４】
更に、本実施例では、隣接書込み期間と書込み期間で、放電開始電圧未満の電圧波形で初期化を実施した後に、消去期間を行っている。この消去期間で、−ＶｅｙとＶｅｘの電圧の傾きの緩やかなアドレス準備電圧波形を印加した後アドレス放電を実行している。ここで、−ＶｅｙとＶｅｘの加算電圧を放電開始電圧以上の２２０Ｖから２５０Ｖとすると、それ以前の隣接書込み期間と書込み期間で電荷の消去が十分行われなくとも、消去期間で十分な消去が実施できる。この場合Ｙ電極側には多少のプラス電荷が蓄積される。アドレス放電および維持放電が行われない黒表示の時は、そのまま次のサブフィールドでのリセット期間の前半に突入するが、Ｙ電極を陽極とする電圧波形は十分低い電圧としているため放電を起こす事は無い。それ以降のサブフィールドでも黒表示が続く場合もリセット期間での放電は発生しない。更に、消去期間にＹ電極に印加する電圧−Ｖｅｙを走査パルスの電圧−Ｖｙに対して＋１０Ｖとすると、Ｙ電極に残留させるプラス電荷を少なくし、より低い電圧でアドレス放電を確実に実行することができるようになる。
【００３５】
更に、消去期間にアドレス電極に印加する電圧をアドレス期間の非選択状態の電圧とし、消去期間にＸ電極とＹ電極に印加する電圧をそれぞれアドレス期間の選択状態の電圧とすれば、アドレス期間に誤動作することはない。
更に、書込み期間と隣接書込み期間にＸ電極とＹ電極に印加する電圧を、維持放電期間にＸ電極とＹ電極に印加する維持放電パルスの最大値以上および最初値以下となる値とすれば、リセット期間で多少電荷が残留しても、維持放電期間でアドレス放電を行わないセルでも放電を開始してしまうことはない。
【００３６】
更に、図９のようなフレーム構成において、維持放電期間の短い維持放電の繰り返し回数が少ないサブフィールドでは、点灯セルに隣接するセルへの電子の拡散も少ないため、維持放電期間の短いサブフィールドでは隣接書込み期間を行わず、維持放電期間の長いサブフィールドで隣接書込み期間を行うようにしてもよい。これにより、駆動時間を短縮できる。
【００３７】
更に、消去期間にＸ電極とＹ電極間に印加する電圧を放電開始電圧以上とすると、Ｙ電極が陰極の場合にはＹ電極側にはイオンが蓄積される。点灯しないセルでは、これが次のサブフィールドのリセット期間でＹ電極が陽極となる波形印加時に加算されることになる。そこで、そのような場合でも放電を開始しないように書込み期間にＹ電極に印加する電圧をあまり高くしないことが望ましい。
【００３８】
図１７は本発明の第２実施例のＡＬＩＳ方式のＰＤＰの駆動波形図である。図１６の第１実施例の駆動波形との違いは、Ｘ電極およびＹ電極に印加する波形の電圧関係にある。図１６では一方の電極にプラス１７０Ｖ、他方の電極にマイナス５０Ｖの電圧を印加していたが、本実施例ではアドレス電極を含め一方の電極を０Ｖに固定した状態で他方の電極に２００Ｖとなる電圧を印加している。これにより、駆動回路が簡単にでき動作時間を短縮できる。
【００３９】
図１８は、第１実施例又は第２実施例の駆動波形と組み合わせて使用する駆動波形の例であり、１フィールドの１サブフィールドのみ、例えば先頭のサブフィールドに図１８の駆動波形を適用し、それ以外のサブフィールドには図１６又は図１７の駆動波形を適用する。図１８の駆動波形の特徴は、隣接書込み期間のＸ電極とＹ電極間の印加電圧を２７０Ｖと放電開始電圧を上回る電圧を印加するため、前のサブフィールドの点灯状態にかかわらず、全てのセルで放電を実施しリセット動作を完了する。そのため、リセット動作後には、放電空間にイオンや準安定原子などが残留し、アドレス放電が確実に起きるようになっている。所謂プライミング効果とよばれるものである。このプライミング効果は続く複数のサブフィールドに渡って作用する。
【００４０】
図１９はプライミング効果を創出するためのサブフィールドにおける別の駆動波形の例である。この場合は隣接書込み期間のＹ電極に印加する負極性のパルスの電圧をマイナス１００Ｖに設定している。
以上、本発明の実施例を説明したが、本発明は各種の変形例が可能である。
以下、本発明の構成を付記としてまとめた。
【００４１】
〔付記１〕  交互に等間隔で配置された複数の第１及び第２の電極と、該複数の第１及び第２の電極から離れて直交するように設けられた複数の第３の電極とを備え、前記第２の電極の一方の側に隣接する第１の電極と該第２の電極で第１の表示ラインを形成し、前記第２の電極の他方の側に隣接する第１の電極と該第２の電極で第２の表示ラインを形成し、第１及び第２の表示ラインでの表示用の放電を時間的に分離して実行するプラズマディスプレイパネルの駆動方法であって、
前記第１及び第２の表示ラインを初期化するリセット期間と、前記第１及び第２の表示ラインの各表示セルを表示データに応じた状態に設定するアドレス期間と、前記表示データに応じた状態に設定された前記表示セルが選択的に発光するように発光させる維持放電期間とを備えるプラズマディスプレイパネルの駆動方法において、
前記リセット期間は、
前記第１の電極又は前記第２の電極の一方を陽極とし、前記第１の電極と前記第２の電極間に、時間的に電圧が緩やかに変化する傾きを有し、前のサブフィールドで点灯していた表示セル及び該表示セルに隣接する一方の異なる表示ラインの表示セル以外の表示セルでは、前記第１の電極と前記第２の電極間の電圧が放電開始電圧未満となるようなリセット放電電圧波形を印加する書込み期間と、
前記第１の電極または前記第２の電極の他方を陽極とし、前記第１の電極と前記第２の電極間に、時間的に電圧が緩やかに変化する傾きを有し、前のサブフィールドで点灯していた前記表示セルに隣接する他方の異なる表示ラインの表示セル以外の表示セルでは、前記第１の電極と前記第２の電極間の電圧が放電開始電圧未満となるような電圧波形を印加する隣接書込み期間とを備えるプラズマディスプレイパネルの駆動方法。
【００４２】
〔付記２〕  前記隣接書込み期間は、前記書込み期間の直前又は直後に行われる付記１に記載のプラズマディスプレイパネルの駆動方法。
〔付記３〕  １フィールドは複数のサブフィールドで構成され、前記１フィールドの少なくとも１つのサブフィールドのリセット期間は、前のサブフィールドの点灯状態にかかわらず、全てのセルにおいて放電開始電圧以上となる傾きの緩やかな電圧波形を印加してリセット放電を行う付記１に記載のプラズマディスプレイパネルの駆動方法。
【００４３】
〔付記４〕  前記放電開始電圧以上の波形を印加して全セルに対するリセット放電を実行するサブフィールドを、奇数行表示または偶数行表示のサブフィールドのいずれか一方のフィールドが終了し、他方のフィールドを開始する際の初回のサブフィールドに適用する付記３に記載のプラズマディスプレイパネルの駆動方法。
【００４４】
〔付記５〕  前記放電開始電圧以上の波形を印加して全セルに対するリセット放電を実行するサブフィールドを、奇数行表示のフィールドまたは偶数行表示のフィールドのいずれか一方のフィールドの開始時の初回のサブフィールドに適用する付記３に記載のプラズマディスプレイパネルの駆動方法。
〔付記６〕  前記書込み期間及び前記隣接書込み期間に前記第３の電極に印加される電圧は、前記第１の電極と前記第２の電極に印加される電圧の最大値以下で最小値以上となるような電圧とする付記１に記載のプラズマディスプレイパネルの駆動方法。
【００４５】
〔付記７〕  前記書込み期間及び前記隣接書込み期間を行った後に、前記第１の電極と前記第２の電極間の電圧が放電開始電圧以上となる傾きの緩やかなアドレス準備電圧波形を印加する消去期間を更に備え、
該消去期間の後に、前記アドレス期間を実行する付記１に記載のプラズマディスプレイパネルの駆動方法。
【００４６】
〔付記８〕  前記アドレス準備電圧波形における前記第１の電極の電圧は、その波形印加期間中または終了時の電圧が前記アドレス期間に前記第１の電極に印加する電圧と略同じである付記７に記載のプラズマディスプレイパネルの駆動方法。
〔付記９〕  前記アドレス準備電圧波形における前記第２の電極の電圧は、その波形印加期間中または終了時の電圧が、前記アドレス期間に前記第２の電極に印加する選択パルスの電圧と略同じである付記７に記載のプラズマディスプレイパネルの駆動方法。
【００４７】
〔付記１０〕  前記アドレス準備電圧波形における前記第２の電極の電圧は、その波形印加期間中または終了時の電圧が、前記アドレス期間に前記第２の電極に印加する選択パルスの電圧と略同じとした場合に比べて、前記第１電極と前記第２の電極の間の電圧が略１０Ｖ小さくなるように設定される付記９に記載のプラズマディスプレイパネルの駆動方法。
【００４８】
〔付記１１〕  前記アドレス準備電圧波形における前記第３の電極の電圧は、その波形印加期間中または終了時の電圧がアドレス放電期間に非選択の前記第３の電極に印加される電圧と略同じである付記７に記載のプラズマディスプレイパネルの駆動方法。
〔付記１２〕  前記アドレス準備電圧波形は、前記第２の電極が陰極となるような傾きの緩やかな波形であり、
前記書込み期間又は前記隣接書込み期間の前記第２の電極を陽極とする波形は、前記書込み期間又は前記隣接書込み期間の前記第１の電極を陽極とする波形よりも低い電圧である付記７に記載のプラズマディスプレイパネルの駆動方法。
【００４９】
〔付記１３〕  前記書込み期間又は前記隣接書込み期間に前記第１の電極と前記第２の電極に印加する波形は、前記維持放電期間に前記第１の電極及び前記第２の電極に印加する維持放電パルスの最大値以上および最小値以下となる付記１に記載のプラズマディスプレイパネルの駆動方法。
〔付記１４〕  前記維持放電期間中の維持放電の繰り返し回数が少ないサブフィールドは前記書込み期間又は前記隣接書込み期間のいずれか一方のみを実施する付記１に記載のプラズマディスプレイパネルの駆動方法。
【００５０】
〔付記１５〕  交互に等間隔で配置された複数の第１及び第２の電極と、該複数の第１及び第２の電極から離れて直交するように設けられた複数の第３の電極とを備え、前記第２の電極の一方の側に隣接する第１の電極と該第２の電極で第１の表示ラインを形成し、前記第２の電極の他方の側に隣接する第１の電極と該第２の電極で第２の表示ラインを形成し、第１及び第２の表示ラインでの表示用の放電を時間的に分離して実行するプラズマディスプレイパネルであって、
前記第１及び第２の表示ラインを初期化するリセット動作を行い、前記第１及び第２の表示ラインの各表示セルを表示データに応じた状態に設定するアドレス動作を行い、前記表示データに応じた状態に設定された前記表示セルが選択的に発光するように発光させる維持放電動作を行う駆動回路を備え、
該駆動回路は、
前記リセット期間で、前記第１の電極又は前記第２の電極の一方を陽極とし、前記第１の電極と前記第２の電極間に、時間的に電圧が緩やかに変化する傾きを有し、前のサブフィールドで点灯していた表示セル及び該表示セルに隣接する一方の異なる表示ラインの表示セル以外の表示セルでは、前記第１の電極と前記第２の電極間の電圧が放電開始電圧未満となるようなリセット放電電圧波形を印加し、
前記第１の電極または前記第２の電極の他方を陽極とし、前記第１の電極と前記第２の電極間に、時間的に電圧が緩やかに変化する傾きを有し、前のサブフィールドで点灯していた前記表示セルに隣接する他方の異なる表示ラインの表示セル以外の表示セルでは、前記第１の電極と前記第２の電極間の電圧が放電開始電圧未満となるような電圧波形を印加することを特徴とするプラズマディスプレイパネル。
【００５１】
【発明の効果】
以上の発明によれば、特にＡＬＩＳ方式のパネルにおいてパネルの安定動作を損なうことなく、従来より黒表示の輝度を低下させることができ、従来５００：１程度であった暗室における表示コントラストを３０００：１〜５０００：１まで大幅に改善することができた。
【図面の簡単な説明】
【図１】プラズマディスプレイパネルを使用した表示装置の概略的構成図を示す。
【図２】プラズマディスプレイパネルの概略構成図である。
【図３】プラズマディスプレイパネルを使用した表示装置で階調表示を行うためのフレーム構成を示す図である。
【図４】従来技術におけるリセット放電による発光の例を示す図である。
【図５】図１の表示装置の従来技術の駆動波形を示す波形図である。
【図６】従来技術の他の駆動波形を示す波形図である。
【図７】本発明が対象とするＡＬＩＳ方式のプラズマディスプレイパネルの概略構成図である。
【図８】ＡＬＩＳ方式のプラズマディスプレイパネルのインターレース駆動を示す図である。
【図９】ＡＬＩＳ方式のプラズマディスプレイパネルのインターレース駆動におけるフレーム構成を示す図である。
【図１０】ＡＬＩＳ方式のプラズマディスプレイパネルの駆動波形を示す波形図である。
【図１１】ＡＬＩＳ方式のプラズマディスプレイパネルにおけるリセット動作を示す図である。
【図１２】ＡＬＩＳ方式のプラズマディスプレイパネルで、前のサブフィールドで点灯したセルを選択的にリセットする場合の問題を説明する図である。
【図１３】リセット放電と輝度の関係を示す図である。
【図１４】本発明のリセット動作を説明する図である。
【図１５】本発明のリセット動作における印加電圧と壁電荷量の関係を示す図である。
【図１６】本発明の第１実施例の装置の駆動波形を示す図である。
【図１７】本発明の第２実施例の装置の駆動波形を示す図である。
【図１８】第１及び第２実施例の駆動波形と組み合わせて使用する駆動波形を示す図である。
【図１９】第１及び第２実施例の駆動波形と組み合わせて使用する他の駆動波形を示す図である。
【符号の説明】
１…第１電極（Ｘ電極）
２…第２電極（Ｙ電極）
３…第３電極（アドレス電極）
１０…パネル
１１…アドレスドライバ
１２…Ｘ電極駆動回路
１３…Ｙ電極駆動回路
【図１】
0003573705.tif 000002
【図２】
0003573705.tif 000003
【図３】
0003573705.tif 000004
【図４】
0003573705.tif 000005
【図５】
0003573705.tif 000006
【図６】
0003573705.tif 000007
【図７】
0003573705.tif 000008
【図８】
0003573705.tif 000009
【図９】
0003573705.tif 000010
【図１０】
0003573705.tif 000011
【図１１】
0003573705.tif 000012
【図１２】
0003573705.tif 000013
【図１３】
0003573705.tif 000014
【図１４】
0003573705.tif 000015
【図１５】
0003573705.tif 000016
【図１６】
0003573705.tif 000017
【図１７】
0003573705.tif 000018
【図１８】
0003573705.tif 000019
【図１９】
0003573705.tif 000020